(57)【要約】【課題】適応的にグループを形成して、ＰＴＴ通信が利用できる通信システム、サーバ、音声対話装置及び通信方法を提供する。【解決手段】複数の音声対話装置とサーバとがネットワークを介して通信可能に接続された通信システムであって、音声対話装置は、属性情報の入力を受付ける入力部と、属性情報をサーバに送信する属性情報送信部とを備え、サーバは、各音声対話装置に関する情報を記憶している記憶部と、属性情報に基づいて、記憶部を参照し、対話相手の候補を選出する候補選出部と、候補情報を、属性情報を送信してきた音声対話装置に送信する候補情報送信部とを備え、音声対話装置は、候補情報に基づいて、対話相手の候補の選択を受付ける選択部と、選択情報をサーバに送信する選択情報送信部とを更に備え、サーバは、選択情報に基づいて、対話相手をグループ化するグループ化部を更に備える。【選択図】図１
2007228251.tif 000002
【特許請求の範囲】
【請求項１】
複数の音声対話装置とサーバとがネットワークを介して相互に通信可能に接続された通信システムであって、
前記音声対話装置は、
対話相手の候補となる音声対話装置を選出するための属性情報の入力を受付ける入力部と、
前記入力部で受付けた属性情報を前記サーバに送信する属性情報送信部とを備え、
前記サーバは、
各前記音声対話装置のユーザに関する情報を記憶している記憶部と、
前記音声対話装置から送信されてくる前記属性情報に基づいて、前記記憶部を参照し、対話相手の候補となる音声対話装置を選出する候補選出部と、
前記候補選出部の選出結果である候補情報を、前記属性情報を送信してきた音声対話装置に送信する候補情報送信部とを備え、
前記音声対話装置は、
前記サーバから送信されてくる前記候補情報に基づいて、対話相手となる音声対話装置の選択を受付ける選択部と、
前記選択部の選択結果である選択情報を前記サーバに送信する選択情報送信部とを更に備え、
前記サーバは、前記音声対話装置から送信されてくる前記選択情報に基づいて、対話相手となる音声対話装置をグループ化するグループ化部を更に備え、
前記属性情報及び前記選択情報を前記サーバに送信した音声対話装置を発信側音声対話装置とし、前記グループ化部によってグループ化された音声対話装置を着信側音声対話装置としたとき、これら発信側音声対話装置と着信側音声対話装置との間でグループ通信が行われることを特徴とする、通信システム。
【請求項２】
前記音声対話装置は、
前記サーバから送信されてくる前記候補情報に基づいて、対話相手の候補となる音声対話装置の位置を含む地図データを生成する地図生成部と、
前記地図生成部が生成した地図データに基づいて地図を表示する表示部とを更に備え、
前記選択部は、前記表示部が表示した地図から対話相手となる音声対話装置の選択を受付けることを特徴とする、請求項１に記載の通信システム。
【請求項３】
前記音声対話装置は、
前記サーバから送信されてくる候補情報に基づいて、対話相手の候補となる音声対話装置のリストデータを生成するリスト生成部と、
前記リスト生成部が生成した前記リストデータに基づいて対話相手となる音声対話装置のリストを表示する表示部とを更に備え、
前記選択部は、前記表示部が表示したリストから対話相手となる音声対話装置の選択を受付けることを特徴とする、請求項１に記載の通信システム。
【請求項４】
前記サーバは、
前記発信側音声対話装置のユーザ情報を前記記憶部から読み出し、各前記着信側音声対話装置に送信するユーザ情報送信部と、
各前記着信側音声対話装置に対して、コネクション確立要求を送信するコネクション確立要求送信部とを更に備え、
前記音声対話装置は、
前記サーバから送信されてくるユーザ情報をユーザに提示するユーザ情報提示部と、
前記サーバから送信されてくるコネクション確立要求を承認するか否かをユーザに問合せる対話確認部とを更に備える、請求項１〜３のいずれかに記載の通信システム。
【請求項５】
前記音声対話装置は、前記対話確認部が前記コネクション確立要求の承認を受付けた場合、前記サーバからポイントを獲得するポイント獲得部を更に備える、請求項４に記載の通信システム。
【請求項６】
前記対話確認部が特定の音声対話装置からのコネクション確立要求の承認を受付ける頻度が高くなるに連れて、前記ポイント獲得部が獲得するポイント値が減少することを特徴とする、請求項５に記載の通信システム。
【請求項７】
前記属性情報は、性別、年齢、趣味及び場所を少なくとも含む情報であり、当該場所の情報は、現在地、目的地及び生活エリアのいずれかを少なくとも含むことを特徴とする、請求項１〜６のいずれかに記載の通信システム。
【請求項８】
複数の音声対話装置とネットワークを介して通信可能に接続されたサーバであって、
各前記音声対話装置のユーザに関する情報を記憶している記憶部と、
前記音声対話装置から送信されてくる属性情報に基づいて前記記憶部を参照し、対話相手の候補となる音声対話装置を選出する候補選出部と、
前記候補選出部の選出結果である候補情報を、前記属性情報を送信してきた前記音声対話装置に送信する候補情報送信部と、
前記候補情報送信部で送信した候補情報に応答して、前記音声対話装置から送信されてくる選択情報に基づいて、対話相手となる音声対話装置をグループ化するグループ化部とを備え、
前記属性情報及び前記選択情報を送信してきた音声対話装置を発信側音声対話装置とし、前記グループ化部によってグループ化した音声対話装置を着信側音声対話装置としたとき、これら発信側音声対話装置と着信側音声対話装置との間でグループ通信を確立させることを特徴とする、サーバ。
【請求項９】
サーバとネットワークを介して通信可能に接続された音声対話装置であって、
対話相手の候補となる音声対話装置を選出するための属性情報の入力を受付ける入力部と、
前記入力部で受付けた前記属性情報を前記サーバに送信する属性情報送信部と、
前記サーバに送信した前記属性情報に応答して、前記サーバから送信されてくる候補情報に基づいて、対話相手となる音声対話装置の選択を受付ける選択部と、
前記選択部で受付けた前記対話相手となる音声対話装置の選択結果である選択情報を前記サーバに送信する選択情報送信部とを備える、音声対話装置。
【請求項１０】
前記サーバから送信されてくる前記候補情報に基づいて、前記対話相手の候補となる音声対話装置の位置を含む地図データを生成する地図生成部と、
前記地図生成部が生成した前記地図データに基づいて地図を表示する表示部とを更に備え、
前記選択部は、前記表示部が表示した地図から対話相手となる音声対話装置の選択を受付けることを特徴とする、請求項９に記載の音声対話装置。
【請求項１１】
前記サーバから送信されてくる候補情報に基づいて、対話相手の候補となる音声対話装置のリストデータを生成するリスト生成部と、
前記リスト生成部が生成した前記リストデータに基づいて対話相手となる音声対話装置のリストを表示する表示部とを更に備え、
前記選択部は、前記表示部が表示したリストから対話相手となる音声対話装置の選択を受付けることを特徴とする、請求項９に記載の音声対話装置。
【請求項１２】
前記サーバから送信されてくるユーザ情報をユーザに提示するユーザ情報提示部と、
前記サーバから送信されてくるコネクション確立要求を承認するか否かをユーザに問合せる対話確認部とを更に備える、請求項９〜１１のいずれかに記載の音声対話装置。
【請求項１３】
前記音声対話装置は、前記対話確認部が前記コネクション確立要求の承認を受付けた場合、前記サーバからポイントを獲得するポイント獲得部を更に備える、請求項９〜１１のいずれかに記載の音声対話装置。
【請求項１４】
前記対話確認部が特定の音声対話装置からのコネクション確立要求の承認を受付ける頻度が高くなるに連れて、前記ポイント獲得部が獲得するポイント値が減少することを特徴とする請求項１３に記載の音声対話装置。
【請求項１５】
前記属性情報は、性別、年齢、趣味及び場所を少なくとも含む情報であり、当該場所の情報は、現在地、目的地及び生活エリアのいずれかを少なくとも含むことを特徴とする請求項９〜１４のいずれかに記載の音声対話装置
【請求項１６】
複数の音声対話装置とサーバとがネットワークを介して相互に通信可能に接続された通信システムにおいて実行される通信方法であって、
前記サーバは、各前記音声対話装置に関する情報を記憶している記憶部を備えており、
前記音声対話装置は、対話相手の候補となる音声対話装置を選出するための属性情報を入力して前記サーバに送信し、
前記サーバは、前記音声対話装置から送信されてくる前記属性情報に基づいて、前記記憶部を参照し、対話相手の候補となる音声対話装置を選出して選出結果である候補情報を前記属性情報を送信してきた前記音声対話装置に送信し、
前記音声対話装置は、前記サーバから送信されてくる前記候補情報に基づいて、対話相手となる音声対話装置の選択を受付けて選択情報を前記サーバに送信し、
前記サーバは、前記音声対話装置から送信されてくる前記選択情報に基づいて、前記対話相手となる音声対話装置をグループ化する、通信方法。
【発明の詳細な説明】
【技術分野】
【０００１】
本発明は、通信技術に関し、より特定的には、適応的にグループを形成して、ＰＴＴ（Ｐｕｓｈ  ｔｏ  Ｔａｌｋ）通信を利用できる技術に関する。
【背景技術】
【０００２】
近年、無線通信を用いたサービスとして、ＰＴＴ通信サービスが提供されている。このＰＴＴ通信とは、発信側音声対話装置の具備するプレストークスイッチを押下することで、着信側音声対話装置とのワイヤレス通信を可能にする通信方法であり、半二重伝送方式で行われる通信方法である。
【０００３】
従来のＰＴＴ通信では、特定の音声対話装置をＣＵＧ（Ｃｌｏｓｅｄ  Ｕｓｅｒ  Ｇｒｏｕｐ）サーバに予め登録しておき、登録された音声対話装置のグループ内でのみ、通信が可能な構成であった。
【特許文献１】特開２００５−１１７１９７号公報
【発明の開示】
【発明が解決しようとする課題】
【０００４】
しかしながら、上述した従来のＰＴＴ通信においては、ＣＵＧサーバに予め登録されたグループでしか利用できないため、適応的にグループを形成して、ＰＴＴ通信を利用できる構成ではなかった。
【０００５】
そこで、本発明は、上記問題に鑑みてなされた。すなわち、適応的にグループを形成して、ＰＴＴ通信が利用できる通信システム、サーバ、音声対話装置及び通信方法を提供することを目的とする。
【課題を解決するための手段】
【０００６】
本発明の第１の局面は、複数の音声対話装置とサーバとがネットワークを介して相互に通信可能に接続された通信システムに向けられている。本発明において、前記音声対話装置は、対話相手の候補となる音声対話装置を選出するための属性情報の入力を受付ける入力部と、入力部で受付けた属性情報を前記サーバに送信する属性情報送信部とを備え、サーバは、各音声対話装置のユーザに関する情報を記憶している記憶部と、音声対話装置から送信されてくる前記属性情報に基づいて、記憶部を参照し、対話相手の候補となる音声対話装置を選出する候補選出部と、候補選出部の選出結果である候補情報を、前記属性情報を送信してきた音声対話装置に送信する候補情報送信部とを備え、音声対話装置は、サーバから送信されてくる候補情報に基づいて、対話相手となる音声対話装置の選択を受付ける選択部と、選択部の選択結果である選択情報を前記サーバに送信する選択情報送信部とを更に備え、サーバは、音声対話装置から送信されてくる前記選択情報に基づいて、対話相手となる音声対話装置をグループ化するグループ化部を更に備え、属性情報及び前記選択情報を前記サーバに送信した音声対話装置を発信側音声対話装置とし、グループ化部によってグループ化された音声対話装置を着信側音声対話装置としたとき、これら発信側音声対話装置と着信側音声対話装置との間でグループ通信が行われる。
【０００７】
また、前記音声対話装置は、サーバから送信されてくる候補情報に基づいて、対話相手の候補となる音声対話装置の位置を含む地図データを生成する地図生成部と、地図生成部が生成した地図データに基づいて地図を表示する表示部とを更に備え、選択部は、表示部が表示した地図から対話相手となる音声対話装置の選択を受付けることが好ましい。
【０００８】
また、音声対話装置は、サーバから送信されてくる候補情報に基づいて、対話相手の候補となる音声対話装置のリストデータを生成するリスト生成部と、リスト生成部が生成した前記リストデータに基づいて対話相手となる音声対話装置のリストを表示する表示部とを更に備え、選択部は、表示部が表示したリストから対話相手となる音声対話装置の選択を受付けることが好ましい。
【０００９】
また、サーバは、発信側音声対話装置のユーザ情報を記憶部から読み出し、各前記着信側音声対話装置に送信するユーザ情報送信部と、各着信側音声対話装置に対して、コネクション確立要求を送信するコネクション確立要求送信部とを更に備え、音声対話装置は、サーバから送信されてくるユーザ情報をユーザに提示するユーザ情報提示部と、サーバから送信されてくるコネクション確立要求を承認するか否かをユーザに問合せる対話確認部とを更に備えることが好ましい。
【００１０】
また、音声対話装置は、対話確認部が前記コネクション確立要求の承認を受付けた場合、前記サーバからポイントを獲得するポイント獲得部を更に備えることが好ましい。
【００１１】
また、対話確認部が特定の音声対話装置からのコネクション確立要求の承認を受付ける頻度が高くなるに連れて、ポイント獲得部が獲得するポイント値が減少することが好ましい。
【００１２】
また、属性情報は、性別、年齢、趣味及び場所を少なくとも含む情報であり、当該場所の情報は、現在地、目的地及び生活エリアのいずれかを少なくとも含むことが好ましい。
【００１３】
本発明の第２の局面は、複数の音声対話装置とネットワークを介して通信可能に接続されたサーバに向けられている。本発明は、各音声対話装置のユーザに関する情報を記憶している記憶部と、音声対話装置から送信されてくる属性情報に基づいて記憶部を参照し、対話相手の候補となる音声対話装置を選出する候補選出部と、候補選出部の選出結果である候補情報を、属性情報を送信してきた音声対話装置に送信する候補情報送信部と、候補情報送信部で送信した候補情報に応答して、音声対話装置から送信されてくる選択情報に基づいて、対話相手となる音声対話装置をグループ化するグループ化部とを備え、属性情報及び選択情報を送信してきた音声対話装置を発信側音声対話装置とし、グループ化部によってグループ化した音声対話装置を着信側音声対話装置としたとき、これら発信側音声対話装置と着信側音声対話装置との間でグループ通信を確立させる。
【００１４】
本発明の第３の局面は、サーバとネットワークを介して通信可能に接続された音声対話装置に向けられている。本発明は、対話相手の候補となる音声対話装置を選出するための属性情報の入力を受付ける入力部と、入力部で受付けた属性情報をサーバに送信する属性情報送信部と、サーバに送信した属性情報に応答して、サーバから送信されてくる候補情報に基づいて、対話相手となる音声対話装置の選択を受付ける選択部と、選択部で受付けた前記対話相手となる音声対話装置の選択結果である選択情報をサーバに送信する選択情報送信部とを備える。
【００１５】
また、サーバから送信されてくる候補情報に基づいて、対話相手の候補となる音声対話装置の位置を含む地図データを生成する地図生成部と、地図生成部が生成した前記地図データに基づいて地図を表示する表示部とを更に備え、選択部は、表示部が表示した地図から対話相手となる音声対話装置の選択を受付けることが好ましい。
【００１６】
また、サーバから送信されてくる候補情報に基づいて、対話相手の候補となる音声対話装置のリストデータを生成するリスト生成部と、リスト生成部が生成した前記リストデータに基づいて対話相手となる音声対話装置のリストを表示する表示部とを更に備え、選択部は、表示部が表示したリストから対話相手となる音声対話装置の選択を受付けることが好ましい。
【００１７】
また、サーバから送信されてくるユーザ情報をユーザに提示するユーザ情報提示部と、サーバから送信されてくるコネクション確立要求を承認するか否かをユーザに問合せる対話確認部とを更に備えることが好ましい。
【００１８】
また、音声対話装置は、対話確認部がコネクション確立要求の承認を受付けた場合、サーバからポイントを獲得するポイント獲得部を更に備えることが好ましい。
【００１９】
また、対話確認部が特定の音声対話装置からのコネクション確立要求の承認を受付ける頻度が高くなるに連れて、ポイント獲得部が獲得するポイント値が減少することが好ましい。
【００２０】
また、属性情報は、性別、年齢、趣味及び場所を少なくとも含む情報であり、当該場所の情報は、現在地、目的地及び生活エリアのいずれかを少なくとも含むことが好ましい。
【００２１】
本発明の第４の局面は、複数の音声対話装置とサーバとがネットワークを介して相互に通信可能に接続された通信システムにおいて実行される通信方法に向けられている。本発明において、サーバは、各音声対話装置に関する情報を記憶している記憶部を備えており、音声対話装置は、対話相手の候補となる音声対話装置を選出するための属性情報を入力して前記サーバに送信し、サーバは、音声対話装置から送信されてくる属性情報に基づいて、記憶部を参照し、対話相手の候補となる音声対話装置を選出して選出結果である候補情報を属性情報を送信してきた音声対話装置に送信し、音声対話装置は、サーバから送信されてくる候補情報に基づいて、対話相手となる音声対話装置の選択を受付けて選択情報を前記サーバに送信し、サーバは、音声対話装置から送信されてくる選択情報に基づいて、前記対話相手となる音声対話装置をグループ化する。
【発明の効果】
【００２２】
以上説明したように、本発明の各局面によれば、適応的にグループを形成して、ＰＴＴ通信が利用できる通信システム、サーバ、音声対話装置及び通信方法を提供することができる。すなわち、対話相手の性別、年齢、趣味及び場所を少なくとも含む属性情報に基づいて、動的にグループを形成して、ＰＴＴ通信を利用することができる。従って、予めグループ登録された音声対話装置以外の所望の対話相手とＰＴＴ通信を行うことができる。
【００２３】
本発明の上記及びその他の目的、特徴、局面及び利点は、以下に述べる本発明の詳細な説明を添付の図面とともに理解したとき、より明らかとなる。
【発明を実施するための最良の形態】
【００２４】
（実施の形態）
以下、本発明の実施の形態に係る通信システム、サーバ、音声対話装置及び通信方法について、図面を参照しながら説明する。
【００２５】
図１は、本発明の実施の形態に係る通信システム１００の全体構成を示す模式図である。図１において、複数の音声対話装置１３０及びサーバ１１０は、例えば、インターネット及び／又はセルラー網のようなネットワーク１２０を介して、相互に通信可能に接続されている。
【００２６】
音声対話装置１３０は、例えば、ハンズフリー機能を有する携帯電話と接続された車載端末装置であり、ＰＴＴ機能を備えている。このような車載端末装置の例としては、車両に設置可能なナビゲーション装置がある。サーバ１１０は、システム動作時には、発信側音声対話装置と着信側音声対話装置とをグループ化し、グループ化された装置間のＰＴＴ通信を司る装置である。
【００２７】
次に、音声対話装置１３０について説明する。図２は、図１に示す音声対話装置１３０の詳細な構成を示すブロック図である。図２において、音声対話装置１３０は、制御部２００、位置情報取得部２０１、地図格納部２０２、経路探索部２０３、通信部２０４、地図生成部２０５、入出力部２０６、対話確認部２０７、ポイント獲得部２０８、対話開始部２０９及び音声入力部２１０を備える。
【００２８】
制御部２００は、音声対話装置１３０全体の処理を制御する。位置情報取得部２０１は、典型的には、ＧＰＳ（Ｇｌｏｂａｌ  Ｐｏｓｉｔｉｏｎｉｎｇ  Ｓｙｓｔｅｍ）で構成され、人工衛星の送信情報を基に、例えば、緯度座標、経度座標及び高度座標で表される車両の現在位置を算出する。なお、位置情報取得部２００は、ＧＰＳ以外に、例えば、ジャイロセンサ、加速度センサ及び車速センサを含んでいてよい。
【００２９】
地図格納部２０２は、例えば、日本全国等、予め定められた広い範囲の地図データを格納している。地図格納部２０２は、ＨＤＤ（Ｈａｒｄ  Ｄｉｓｋ  Ｄｒｉｖｅ）、ＤＶＤ（Ｄｉｇｉｔａｌ  Ｖｅｒｃａｔｉｌｅ  Ｄｉｓｋ）及び半導体メモリ等の記憶媒体で構成される。なお、地図情報が、例えば、携帯電話等の通信部（図示せず）によって、センター設備から適宜ダウンロードして、地図格納部２０２に記憶される構成であってもよい。
【００３０】
経路探索部２０３は、目的地情報、車両の現在位置情報及び地図格納部２０２に格納された地図データを参照して、目的地に至る経路を探索する。この経路探索では、目的地までの最短距離を通る経路、目的地への到着時間を優先した場合の最適経路、有料道路を通過しない場合の最適経路、渋滞を避けた場合の最適経路、或いはユーザ指定した地点を通るようにした最適経路等の探索が行われる。
【００３１】
通信部２０４は、ネットワーク１２０に接続されており、音声対話装置１３０とサーバ１１０と各種の通信を行う。
【００３２】
地図生成部２０５は、サーバ１１０から送信されてくる候補情報と地図格納部２０２に格納された地図データとに基づいて、対話相手の候補となる着信側音声対話装置の位置を含む地図データを生成する。
【００３３】
入出力部２０６は、地図生成部２０５が生成した地図データの表す地図を表示し、表示した地図から、発信側音声対話装置の対話相手となる着信側音声対話装置の選択をユーザから受付ける、例えば、タッチパネル付き表示モニタである。
【００３４】
対話確認部２０７は、サーバ１１０から発信されるコネクション確立要求を承認するか否かをユーザに確認する。ポイント獲得部２０８は、対話確認部２０７がサーバ１１０から発信されるコネクション確立要求を承認する旨をユーザから確認した場合、サーバ１１０からポイントを獲得する。
【００３５】
対話開始部２０９は、典型的には、ＰＴＴボタンである。ユーザは、対話開始部２０９を操作しながら、音声入力部２１０に向かって声を発する。
【００３６】
次に、サーバ１１０について説明する。図３は、図１に示すサーバ１１０の詳細な構成を示すブロック図である。図３において、サーバ１１０は、制御部３００、通信部３０１、記憶部３０２、候補選出部３０３及びグループ化部３０４を備える。
【００３７】
制御部３００は、サーバ１１０全体の処理を制御する。通信部３０１は、ネットワーク１２０に接続されており、音声対話装置１３０と各種の通信を行う。
【００３８】
記憶部３０２は、音声対話装置１３０のユーザ情報及び着信情報を記憶している。図４に示すように、このユーザ情報は、ユーザナンバ、性別、年齢、趣味、生活エリア、現在地及び目的地からなるプロファイル情報であり、音声対話装置１３０からサーバ１１０に送信される。ユーザ情報のうち、性別、年齢、趣味及び生活エリアは、予め記憶部３０２に記憶されており、現在地及び目的地は随時更新されて記憶部３０２に記憶される。また、着信情報は、着信が可能な着信タイミングを表す情報であり、音声対話装置１３０からサーバ１１０に送信される。この着信情報は、図５に示すように、ユーザナンバ、時間帯、状況及び相手プロファイルからなる情報であり、予め記憶部３０２に記憶されている。
【００３９】
候補選出部３０３は、発信側音声対話装置から送信されてくる対話相手の候補となる着信側音声対話装置を選出するための属性情報に基づいて、発信側音声対話装置の対話相手の候補となる着信側音声対話装置を選出する。この属性情報は、性別、年齢、趣味及び場所を少なくとも含む情報であり、場所は、現在地、目的地及び生活エリアのいずれかを少なくとも含む。なお、目的地は、車載端末装置の設定情報から取得すればよいし、生活エリアは、滞在時間の長い現在地の履歴から算出すればよい。
【００４０】
グループ化部３０４は、音声対話装置から送信されてくる選択情報に基づいて、対話相手となる着信側音声対話装置をグループ化する。
【００４１】
次に、実施の形態に係る通信システムの動作について、図面を参照し説明する。なお、動作時には、複数の音声対話装置１３０のうちの１台が発信側音声対話装置となり、１台以上の音声対話装置１３０が着信側音声対話装置となる。
【００４２】
図６は、実施の形態に係る通信システムにおいて、発信側ユーザ及び着信側ユーザにおける音声対話が始まるまでの発信側音声対話装置、着信側音声対話装置及びサーバ１１０のそれぞれの動作を示すシーケンス図である。
【００４３】
ユーザが対話相手選択ボタン（図示せず）を押下すると、図７に示すように、対話相手の候補となる着信側音声対話装置を選出するための属性選択画面７００が入出力部２０６に表示される。
【００４４】
発信側音声対話装置のユーザは、まず、対話相手の候補となる着信側音声対話装置を選出するための属性である性別、年齢、趣味及び場所の少なくとも１つの属性を選択する（シーケンスＳ６０１）。ここでは、属性として、年齢、趣味及び場所が選択されたものと仮定する。このとき、入出力部２０６は、図８に示すように、更に属性を絞り込むための属性絞込み選択画面８００を表示する。
【００４５】
発信側音声対話装置のユーザは、属性絞込み選択画面８００のプルダウンキーにタッチして、各属性を絞り込んで選択する。このとき、発信側音声対話装置のユーザが場所の属性を選択するに際して、地図から指定すると選択した場合、図９に示すように、発信側音声対話装置のユーザの現在地周辺の地図が入出力部２０６に表示される。発信側音声対話装置のユーザは、指定したい場所が領域であるなら、その領域を囲むように、表示された地図を指でなぞって指定する。また、指定したい場所が道路沿いであるなら、その道路に沿うように、表示された地図を指でなぞって指定する。なお、発信側音声対話装置のユーザが場所の属性を選択するに際して、直接場所を示す名称が入力されてもよい。
【００４６】
発信側音声対話装置の通信部２０４は、選択された属性情報を、ネットワーク１２０を介して、サーバ１１０に送信する（シーケンスＳ６０２）。このとき、送信された属性情報は、サーバ１１０の通信部３０１で受信される（シーケンスＳ６０３）。
【００４７】
候補選出部３０３は、通信部３０１で受信された属性情報と、記憶部３０２に記憶されたユーザ情報及び着信情報とを比較して、対話相手の候補となる着信側音声対話装置を選出する（シーケンスＳ６０４）。
【００４８】
サーバ１１０の通信部３０１は、候補選出部３０３が選出した対話相手の候補となる着信側音声対話装置の候補情報を、ネットワーク１２０を介して、発信側音声対話装置に送信する（シーケンスＳ６０５）。このとき、送信された候補情報は、発信側音声対話装置の通信部２０４で受信される（シーケンスＳ６０６）。
【００４９】
地図生成部２０５は、通信部２０４で受信した候補情報と地図格納部２０２に格納された地図データとに基づいて、対話相手の候補となる着信側音声対話装置の位置を含む地図データを生成する。入出力部２０６は、地図生成部が生成した地図データの表す地図を表示する。
【００５０】
入出力部２０６は、対話相手の候補となる着信側音声対話装置の位置を含む地図から、対話相手となる着信側音声対話装置の選択を受付ける（シーケンスＳ６０７）。このとき、ユーザは、図１０に示すように、選択したい相手を領域で指定するなら、その領域を囲むように、表示された対話相手の候補となる着信側音声対話装置の位置を含む地図を指でなぞって指定する。また、選択したい相手を個別に指定するなら、その着信側音声対話装置の位置を指でタッチして指定する。なお、対話相手の候補となる着信側音声対話装置の位置を含む地図において、対話相手となる着信側音声対話装置の位置に、当該着信側音声対話装置のユーザ情報がポップアップ表示される構成としてもよい。このようにすれば、発信側音声対話装置のユーザ所望の対話相手の選択が容易になる。
【００５１】
発信側音声対話装置の通信部２０４は、入出力部２０６で受付けた対話相手となる着信側音声対話装置の選択情報を、ネットワーク１２０を介して、サーバ１１０に送信する（シーケンスＳ６０８）。このとき、送信された選択情報は、通信部３０１で受信される（シーケンスＳ６０９）。
【００５２】
グループ化部３０４は、通信部３０１で受信した選択情報に基づいて、対話相手となる着信側音声対話装置をグループ化する（シーケンスＳ６１０）。制御部３００は、発信側音声対話装置とグループ化部３０４でグループ化された着信側音声対話装置とのコネクションを確立する（シーケンスＳ６１１）。
【００５３】
コネクションの確立が行われた後、発信側音声対話装置のユーザは、対話開始部２０９を操作しながら、音声入力部２１０に向かって声を発して、グループ化された着信側音声対話装置のユーザと音声通信を行う（シーケンスＳ６１２）。
【００５４】
なお、着信側音声対話装置の通信部２０４は、コネクションの確立の直前に、サーバ１１０から発信側音声対話装置のユーザ情報と共に送信されるコネクション確立要求を受信し、対話確認部２０７は、コネクション確立要求を承認するのか否かの問合せをポップアップ表示する等して確認してもよい。このとき、着信側音声対話装置のユーザが承認しない場合は、コネクションの確立はなされない。一方、着信側音声対話装置のユーザが承認した場合は、ポイント獲得部２０８は、サーバ１１０からポイントを獲得する。
【００５５】
このポイントは、通信料金の割引に使用されたり、対話相手の本通信システムの利用の積極性の度合いを表す指標として使用される。すなわち、ポイントが高ければ、通信料金の割引がより多くなり、更に、本通信システムの利用において、より積極的であるとの判断が可能となる。これにより、着信側音声対話装置のユーザは、発信側音声対話装置のユーザが本通信システムを積極的に利用するユーザであると判断することができるため、本通信システムの円滑な利用が図られる。
【００５６】
なお、特定の発信側音声対話装置とのコネクション確立要求の承認頻度が高くなるに連れて、図１１に示すように、着信側音声対話装置が獲得するポイント値が減少する構成としてもよい。これにより、同一の相手間の対話を繰り返すことによって、不正にポイントを獲得される事態を免れることができる。
【００５７】
このように、適応的にグループを形成して、ＰＴＴ通信が利用できる通信システム、サーバ、音声対話装置及び通信方法を提供することができる。すなわち、対話相手の性別、年齢、趣味及び場所を少なくとも含む属性情報に基づいて、動的にグループを形成して、ＰＴＴ通信を利用することができる。従って、予めグループ登録した着信側音声対話装置以外の所望の対話相手とＰＴＴ通信を行うことができる。
【００５８】
なお、その他の形態として、発信側音声対話装置及び着信側音声対話装置は、制御部２００、位置情報取得部２０１、通信部２０４、入出力部２０６、対話確認部２０７、ポイント獲得部２０８、対話開始部２０９及び音声入力部２１０を備え、サーバ１１０は、制御部３００、通信部３０１、地図格納部２０２、経路探索部２０３、地図生成部２０５、記憶部３０２、候補選出部３０３及びグループ化部３０４を備える構成としてもよい。
【００５９】
すなわち、上記実施の形態では、音声対話装置側で、対話相手の候補となる音声対話装置を含む地図データを生成していたが、サーバ側で生成する構成としてもよい。
【００６０】
なお、上記実施の形態では、地図生成部２０５が生成した地図データの表す地図から、対話相手となる着信側音声対話装置を選択する構成を説明したが、地図生成部２０５に代えて、リスト生成部を設け、リスト生成部が生成したリストデータの表すリストから、対話相手となる着信側音声対話装置を選択する構成としてもよい。なお、このリストが表示される際には、ユーザ名だけでなく、ユーザ情報も表示される構成としてもよい。
【００６１】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００６２】
カーナビゲーション、携帯電話、ＰＤＡ等の移動体端末機器において有用である。
【図面の簡単な説明】
【００６３】
【図１】本発明の実施の形態に係る通信システムの全体構成を示す模式図
【図２】実施の形態に係る通信システムにおいて、発信側音声対話装置及び着信側音声対話装置の構成の一例を示すブロック図
【図３】実施の形態に係る通信システムにおいて、サーバの構成の一例を示すブロック図
【図４】記憶部に記憶されるユーザ情報の一例を示す図
【図５】記憶部に記憶される着信情報の一例を示す図
【図６】実施の形態に係る通信システムにおいて、発信側ユーザ及び着信側ユーザにおける音声対話が始まるまでの発信側音声対話装置、着信側音声対話装置及びサーバのそれぞれの動作を示すシーケンス図
【図７】属性選択画面を示す模式図
【図８】属性絞込み選択画面を示す模式図
【図９】地図から対話相手の候補となる着信側音声対話装置を選択する様子を示す図
【図１０】地図から対話相手となる着信側音声対話装置を選択する様子を示す図
【図１１】ポイント獲得の割合が減少する様子を示す図
【符号の説明】
【００６４】
１００  通信システム
１１０  サーバ
１２０  ネットワーク
１３０  音声対話装置
２００  制御部
２０１  位置情報取得部
２０２  地図格納部
２０３  経路探索部
２０４  通信部
２０５  地図生成部
２０６  入出力部
２０７  対話確認部
２０８  ポイント獲得部
２０９  対話開始部
２１０  音声入力部
３００  制御部
３０１  通信部
３０２  記憶部
３０３  候補選出部
３０４  グループ化部
【図１】
2007228251.tif 000003
【図２】
2007228251.tif 000004
【図３】
2007228251.tif 000005
【図４】
2007228251.tif 000006
【図５】
2007228251.tif 000007
【図６】
2007228251.tif 000008
【図７】
2007228251.tif 000009
【図８】
2007228251.tif 000010
【図９】
2007228251.tif 000011
【図１０】
2007228251.tif 000012
【図１１】
2007228251.tif 000013